(57)【要約】【課題】身体に装着し易く且つ使用時の安定性に優れた痙性予防を目的としたエアー加圧装具を提供する。【解決手段】手首及び手指を含む肢体に装着する装具であって、空気の給排気により膨張又は収縮する円筒形状の袋体１１から構成され、袋体１１は合成樹脂製シートで形成された気密な空気袋であり、袋体１１の内側中心孔には両側開口部１６に連通する加圧部が形成され、装着する際は膨張させた円筒形状の袋体１１の開口部１６から肢体を挿入して該円筒形状の袋体１１の内側中心孔を身体に接触させて挿入又は引抜方向に回転させながら移動させて所望位置に保持し、その状態で患部を加圧抑制する。【選択図】図３
2019107439.tif 000002
【特許請求の範囲】
【請求項１】
手首及び手指を含む肢体に装着する装具であって、空気の給排気により膨張又は収縮する円筒形状の袋体から構成され、前記袋体は本体シートと透明シートの２種類の合成樹脂製シートで形成された気密な空気袋であり、前記袋体の内側中心孔には両側開口部に連通する加圧部が形成され、
前記袋体の本体シートの外側表面には内側裏面よりも摩擦係数が大きいエンボス加工を施した滑り止めが形成され、
装着する際は膨張させた前記円筒形状の袋体の前記開口部から肢体を挿入して該円筒形状の袋体の内側中心孔を身体に接触させて挿入又は引抜方向に回転させながら移動させて所望位置に保持し、その状態で患部を加圧抑制し、
前記袋体の装着する際の挿入又は引抜の回転移動方向に沿った長手方向に前記透明シートを前記円筒形状の袋体の外側から内側まで連続又は不連続な環状に形成した帯状透明部が設けられ、前記袋体の回転とともに同方向に回転する前記帯状透明部を通して常に内側に挿入している手指又は腕の位置を確認できることを特徴とするエアー加圧装具。
【請求項２】
前記帯状透明部は不連続な環状に形成され、前記帯状透明部が連続していない領域で、且つ長手方向に直交する方向に沿って前記円筒形状の袋体の溶着部が配置されていることを特徴とする請求項１に記載のエアー加圧装具。
【請求項３】
前記帯状透明部の対向する各端部の形状を半円弧状に形成することを特徴とする請求項２に記載のエアー加圧装具。
【請求項４】
前記帯状透明部の幅が前記袋体の幅に対して正面視４０％以下であることを特徴とする請求項１乃至請求項４のいずれか１項に記載のエアー加圧装具。

【発明の詳細な説明】
【技術分野】
【０００１】
本発明は、痙性予防を目的としたエアー加圧装具、特に手首及び手指を含む肢体が拘縮により関節可動域制限のある方を対象としたエアー加圧装具に関するものである。
【背景技術】
【０００２】
従来から、リハビリテーション医学において、脳血管障害、脳外傷、脳性麻痺、脊髄損傷などの中枢神経系の疾患および障害ならびに末梢神経障害、関節、筋肉の障害に伴う肢体の機能障害に対して、その機能を改善させるため様々な研究開発が進められている。  
【０００３】
例えば、特公平６−２０４７７号公報（特許文献１）には、腕関節・手・手指の機能を改善させるための手指等の機能改善器に関し、手先で圧縮空気の流量を変えられなかった点並びに圧縮空気を供給したまま圧縮空気の供給源と患者とを分離できなかった点を解決してより効果的に自動運動を誘発できるようにする「手指等の機能改善器」が提案されている。
【０００４】
また、特表２００２−５１３２９９号公報（特許文献２）には、患者の関節可動域をより自然な状態に戻すために関節を受動的に運動させる受動運動装置を提供することを目的とし、この装置は弾力性のある発泡部分と発泡部分を封入して密封室とするケーシングとを含み、患者の関節は適切な保持器によって密封室に対して保持され、真空ポンプが密封室に接続され、例えば大気圧以下に密封室を減圧し及びその減圧を解除することによって、発泡部分が収縮し、関節に力を及ぼし関節を所定位置から動かし又は曲げるようにした「受動関節運動装置及びそれを用いた方法」が提案されている。
【０００５】
また、特許第４７１６４５６号特開号公報（特許文献３）には、容易に装着できるとともに、関節ごとに十分な関節運動を支援することを目的とし、所定対象物の関節運動を支援する関節運動支援装置であって、伸縮自在なベローズと配管と伝達部材と拘束部材と装着部とを備えた「関節運動支援装置」が提案されている。
【０００６】
しかし、上記の従来技術では、装置又は器具自体の構造が複雑且つ高価であり、自宅等でリハビリを行うのは困難であるという問題を有している。
一方、リハビリは、長期間に亘って辛抱強く行わねばならないところ、病院に毎回出向くのがおっくうとなり、時間的都合がつかない等の理由によって、途中で挫折し、後で取り返しのつかない事態に至る場合も考えられる。
そこで、自宅等においてリハビリが容易に行える装置又は器具として、以下に示すような先行技術が提案されている。
【０００７】
例えば、特開平９−４７４７７号公報（特許文献４）には、空気の圧入によって膨張し、空気の排気によって収縮する膨張体と、膨張体内に空気を圧入するためのポンプと、ポンプによる膨張体内への空気の圧入および膨張体内からの空気の排気を制御するための制御器とを備え、制御器により膨張体内への空気の圧入および膨張体内からの空気の排気を制御することによって、掌に強制的に開閉動作を行わせることを特徴とする「掌用リハビリ装置」が提案されている。
【０００８】
また、特開平８−２９４５２２号公報（特許文献５）には、内部に圧力を加えることで膨張する袋部材と、袋部材が人体の関節部に接するように袋部材を保持し、かつ人体に装着するための装着部材と、圧力を与えるための圧力供給部材と、圧力供給部材によって与えられた圧力を調整し、その調整された圧力を袋部材の内部に加える圧力調整部材とを備えた「人体装着用運動器」が提案されている。
【０００９】
また、特開２００３−２３５９１５号公報（特許文献６）には、円筒状の袋に該袋を膨張させるためのエアポンプが連結されており、袋を膨脹させ、その後急激に空気圧を減じ、袋を萎ませるように制御されている「関節の拘縮した患者のリハビリ用器具」が提案されている。
【００１０】
しかし、特許文献４に記載の掌用リハビリ装置では、掌の機能回復を図るためのものであるため、手首その他関節のリハビリには使用することができない。また、特許文献５に記載の人体装着用運動器では、空気袋の着脱手段として面ファスナーを用いるため、使用時の安定性に問題を有している。また、特許文献６に記載のリハビリ用器具では、円筒状の袋の表面に四肢に固定するためのベルトを必要とするため、一人で装着するのは難しく且つ使用時の安定性に問題を有している。
【００１１】
さらに、特開昭５３−１０５７９号公報（特許文献７）には、空気の給排気により膨張又は収縮する円筒形状の袋体から構成され、袋体は柔軟なシート素材からできている周壁構成用気密シートで形成された気密な空気袋であり、袋体の空洞部に両側開口部に連通する加圧部が形成され、上肢に装着する「四肢圧迫治療器具」が提案されている。
【先行技術文献】
【特許文献】
【００１２】
【特許文献１】特公平６−２０４７７号公報
【特許文献２】特表２００２−５１３２９９号公報
【特許文献３】特許第４７１６４５６号特開号公報
【特許文献４】特開平９−４７４７７号公報
【特許文献５】特開平８−２９４５２２号公報
【特許文献６】特開２００３−２３５９１５号公報
【特許文献７】特開昭５３−１０５７９号公報
【発明の概要】
【発明が解決しようとする課題】
【００１３】
しかし、特許文献７の発明の「袋体」の構成は、「透明シート」及び「透明部」について記載や示唆がなく、使用時における外部からの視認性、身体の装着性及び安定性に問題を有している。
【００１４】
そこで、本発明は、上記問題に鑑みて本願発明者が鋭意開発したものであり、
拘縮により関節可動域制限のある方が自宅等においてリハビリが容易に行え、
簡単な構造でありながら身体に装着し易く且つ使用時の安定性に優れた痙性予防を目的としたエアー加圧装具を提供することを目的とする。
【課題を解決するための手段】
【００１５】
上記の課題を解決するために、請求項１に記載の発明は、手首及び手指を含む肢体に装着する装具であって、空気の給排気により膨張又は収縮する円筒形状の袋体から構成され、前記袋体は本体シートと透明シートの２種類の合成樹脂製シートで形成された気密な空気袋であり、前記袋体の内側中心孔には両側開口部に連通する加圧部が形成され、前記袋体の本体シートの外側表面には内側裏面よりも摩擦係数が大きいエンボス加工を施した滑り止めが形成され、装着する際は膨張させた前記円筒形状の袋体の前記開口部から肢体を挿入して該円筒形状の袋体の内側中心孔を身体に接触させて挿入又は引抜方向に回転させながら移動させて所望位置に保持し、その状態で患部を加圧抑制し、前記袋体の装着する際の挿入又は引抜の回転移動方向に沿った長手方向に前記透明シートを前記円筒形状の袋体の外側から内側まで連続又は不連続な環状に形成した帯状透明部が設けられ、前記袋体の回転とともに同方向に回転する前記帯状透明部を通して常に内側に挿入している手指又は腕の位置を確認できることを特徴とする。
【００１６】
また、請求項２に記載の発明は、請求項１に記載の前記帯状透明部は不連続な環状に形成され、前記帯状透明部が連続していない領域で、且つ長手方向に直交する方向に沿って前記円筒形状の袋体の溶着部が配置されていることを特徴とする。
【００１７】
また、請求項３に記載の発明は、請求項２に前記帯状透明部の対向する各端部の形状を半円弧状に形成することを特徴とする。
【００１８】
また、請求項４に記載の発明は、請求項１乃至請求項３に記載の前記帯状透明部の幅が前記袋体の幅に対して正面視４０％以下であることを特徴とする。
【発明の効果】
【００１９】
以上のように、本発明によれば、空気の給排気により膨張又は収縮する円筒形状の袋体から構成されており、装着時に膨張させた円筒形状の袋体の内部に肢体を挿入して手の平でぐるぐると挿入方向に回転（ロールアップ）又は引抜方向に回転（ロールダウン）させながら移動させて所望位置に保持できるので、簡単な構造でありながら一人でも身体に装着し易く且つ使用時の安定性に優れている。このため、手首及び手指を含む肢体が拘縮により関節可動域制限のある方が、自宅等においてリハビリを容易に行うことができる。また、本発明の使用の効果としては、筋や関節組織の血行高めて、筋緊張の緩和や筋・腱の伸張性増大、関節可動域の維持改善から、ＡＤＬ（日常生活動作）の向上が期待できる。
【００２０】
また、袋体の合成樹脂製シートの外側表面にエンボス加工を施した滑り止めが形成されることにより、身体と接触するシート外側表面において摩擦力が高まり、円筒形状の袋体を手の平でぐるぐると挿入方向に回転（ロールアップ）又は引抜方向に回転（ロールダウン）する際に滑り難くなるため、身体の装着性がより一層向上する。
【００２１】
また、袋体の挿入方向に回転（ロールアップ）又は引抜方向に回転（ロールダウン）の方向に沿った長手方向に袋体の外側から内側まで連続又は不連続な環状に形成した帯状透明部が設けられることにより、袋体の回転とともに同方向に回転する帯状透明部を通して常に内側に挿入している手指又は腕の位置を確認できるため、ロールアップ又はロールダウンの動作がし易くなり、装着性も更に向上する。
【００２２】
また、帯状透明部が連続していない領域で、且つ長手方向に直交する方向に沿って袋体の溶着部が配置され、帯状透明部の対向する各端部の形状を半円弧状に形成することにより、溶着強度が向上し耐久性がアップするとともに、使用時の安定性が良くなる。
【図面の簡単な説明】
【００２３】
【図１】本発明にかかるエアー加圧装具の第１実施例を示す説明図である。
【図２】図１のエアー加圧装具の袋体に空気を注入した状態を示す斜視図である。
【図３】図１のエアー加圧装具の袋体に空気を注入した状態を示す側面図である。
【図４】図３のＡ−Ａ線における横断面図及び一部拡大断面図である。
【図５】図１のエアー加圧装具の袋体に空気を注入した状態を示す平面図である。
【図６】本発明にかかるエアー加圧装具の使い方の手順（１）を示す図面の代用写真である。
【図７】本発明にかかるエアー加圧装具の使い方の手順（２）を示す図面の代用写真である。
【図８】本発明にかかるエアー加圧装具の使い方の手順（３）を示す図面の代用写真である。
【図９】本発明にかかるエアー加圧装具の使い方の手順（４）を示す図面の代用写真である。
【図１０】図９のエアー加圧装具を手指側から見た図面の代用写真である。
【図１１】本発明にかかるエアー加圧装具の第１実施例の使用状態を表わす説明図である。
【図１２】本発明にかかるエアー加圧装具の第２実施例を示す説明図である。
【図１３】図１２のエアー加圧装具の袋体に空気を注入した状態を示す斜視図である。
【図１４】図１２のエアー加圧装具の袋体に空気を注入した状態を示す右側面図である。
【図１５】図１２のエアー加圧装具の袋体に空気を注入した状態を示す左側面図である。
【図１６】図１２のエアー加圧装具の袋体に空気を注入し１／４回転した状態を示す正面図である。
【図１７】図１２のエアー加圧装具の袋体に空気を注入し１／４回転した状態を示す右側面図である。
【図１８】図１２のエアー加圧装具の袋体に空気を注入し１／４回転した状態を示す左側面図である。
【図１９】本発明にかかるエアー加圧装具の第２実施例の使用状態を表わす説明図である。
【発明を実施するための形態】
【００２４】
以下、本発明の実施の一形態について図面を参酌しながら説明する。なお、本発明にかかるエアー加圧装具の各構成については、以下の実施例に限定されるものではなく、使用状況によって適宜変更することができる。また、本発明にかかるエアー加圧装具は、手首及び手指を含む肢体が拘縮により関節可動域制限のある方の痙性予防を目的としている。
【００２５】
図１は、本発明にかかるエアー加圧装具の第１実施例を示す説明図である。
図１に示すように、エアー加圧装具１０の袋体１１は、合成樹脂製シートからなる本体シート１２と透明シート１３を用いて円筒形状の空気袋が形成されている。図１は袋体１１を収縮させている状態を示しており、使用前は嵩張らず袋体１１をコンパクトに収納でき、持ち運びが容易になる。
【００２６】
また、図１に示すように、袋体１１の給排気口１４に給排気栓１５が設けられ、袋体１１からの空気の排出を阻止する逆止弁（図示省略）が取り付けられている。エアー加圧装具１０の袋体１１に空気を注入する手段として、ポンプ２０を備えている。この空気を注入する手段は、図示するフットポンプに限定されず、ハンドポンプや呼気により袋体１１を膨張させてもよい。
【００２７】
図２は図１のエアー加圧装具の袋体に空気を注入した状態を示す斜視図、図３はその側面図、図５はその平面図である。また、図４は図３のＡ−Ａ線における横断面図及び一部拡大断面図である。
図２乃至図５に示すように、円筒形状の袋体１１の両端部に一対の開口部１６が形成されており、使用する際は後述するように一方の開口部１６から手首及び手指を含む肢体を挿入する。また、図４に示すように、円筒形状の袋体１１の内側中心孔には、一対の開口部１６に連通する加圧部１７が形成されており、内側空間１８に充填された空気圧により関節可動域制限のある患部を均一に加圧抑制することができる。
【００２８】
また、袋体１１の合成樹脂製シートからなる本体シート１２の外側表面に、内側裏面よりも摩擦係数が大きい滑り止め（図示省略）を形成する。滑り止めは、例えば、身体に接触するシート外側表面にエンボス加工を施してシート素材に凹凸による起伏面を得ることができる。このような凹凸を設けることにより、摩擦力又は接合力が向上するため、身体の装着性がより一層向上する。
【００２９】
また、袋体１１の合成樹脂製シートの材質は、ポリ塩化ビニルを採用するのが好ましい。また、ポリ塩化ビニルの重合度が１３００〜３０００のものを用いることが好ましい。また、より好ましくは、重合度を２５００に設定する。これにより、強度が高くなるため、使用時の安定性がより一層向上する。
【００３０】
また、図２乃至図５に示すように、袋体１１の装着する際の挿入又は引抜の回転移動方向に沿った長手方向に透明シート１３を円筒形状の袋体１１の外側から内側まで連続する環状に形成した帯状透明部が設けられており、袋体１１の回転とともに同方向に回転する帯状透明部を通して常に内側に挿入している手指又は腕の位置を確認できる。
【００３１】
ここで、袋体１１の合成樹脂製シートの材質及び製品寸法の試作例について説明する。
（試作例１）
使用生地Ａ：ＰＶＣ（ポリ塩化ビニル、黒）  厚さ：０．２５ｍｍ
製品寸法：円筒形状の袋体（正面視）  長さ３００ｍｍ／幅２５０ｍｍ
評価：「袋体を手の平でぐるぐると上に回しながら上げられる（ロールアップ）。生地が薄く、柔らかいため、腕が曲がってしまう。」  
（試作例２）
使用生地Ｂ：ＰＶＣ（ポリ塩化ビニル、シルバー）  厚さ：０．４５ｍｍ
製品寸法：円筒形状の袋体（正面視）  長さ３５０ｍｍ／幅２５０ｍｍ
評価：「試作例１より生地の厚みが増したため、腕が曲がりにくくなった（固定感ＵＰ）。長さも良い（肘用と手指用の併用可）。ぐるぐる回すときに手が滑り、上に上げにくい。」  
（試作例３）
使用生地Ｂ：ＰＶＣ（ポリ塩化ビニル、シルバー）  厚さ：０．４５ｍｍ
使用生地Ｃ：ＰＶＣ（ポリ塩化ビニル、透明）  厚さ：０．３ｍｍ
製品寸法：円筒形状の袋体（正面視）  長さ３５０ｍｍ／幅２５０ｍｍ
袋体の透明部分（正面視）  長さ３５０ｍｍ／幅  ６０ｍｍ
袋体の幅に対する透明部分の幅の割合  （正面視）２４％
評価：「試作例２と比べて透明部分があることで、手でロールアップしやすくなった。一部が透明のため、腕の様子を見ることができる。」  
（試作例４）
使用生地Ｂ：ＰＶＣ（ポリ塩化ビニル、シルバー）  厚さ：０．４５ｍｍ
使用生地Ｃ：ＰＶＣ（ポリ塩化ビニル、透明）  厚さ：０．３ｍｍ
製品寸法：円筒形状の袋体（正面視）  長さ３５０ｍｍ／幅２５０ｍｍ
袋体の透明部分（正面視）  長さ３５０ｍｍ／幅１００ｍｍ
袋体の幅に対する透明部分の幅の割合  （正面視）４０％
評価：「試作例３より透明部分の幅を広げてもロールアップのしやすさは変わらない。内側にシワがより腕に不規則な圧がかかる。」  
以上のように試作例１〜４の検証の結果では、試作例３の使用生地及び製品寸法が最適である。また、透明部分の幅は袋体の幅に対して正面視４０％以下が適しており、好ましくは正面視２４％程度が最適である。そこで、図１乃至図５に示すエアー加圧装具１０の袋体１１は、試作例３の仕様に基づき本体シート１２と透明シート１３の２種類のシートから構成されている。また、袋体１１は、本体シート１２と透明シート１３の両長辺部を溶着するとともに、本体シート１２と透明シート１３の短辺部の一方を折り返して他方に溶着して円筒形状の空気袋が形成されている。
【００３２】
次に、本発明にかかるエアー加圧装具の使い方の手順について説明する。
【００３３】
図６は本発明にかかるエアー加圧装具の使い方の手順（１）を示す図面の代用写真である。
エアー加圧装具の袋体１１に空気を注入して張りのある固さにした後、図６に示すように、一方の開口部１６に手首及び手指を挿入する（図１１（ａ）参照）。
【００３４】
図７は本発明にかかるエアー加圧装具の使い方の手順（２）を示す図面の代用写真である。
次に、袋体１１の開口部１６から内側中心孔（図４に示す加圧部１７）に沿って手首及び手指を挿入していく。このとき、円筒形状の袋体１１を手の平でぐるぐると挿入方向に回転（ロールアップ）させながら移動させる。
【００３５】
図８は本発明にかかるエアー加圧装具の使い方の手順（３）を示す図面の代用写真である。
次に、円筒形状の袋体１１を挿入方向に回転（ロールアップ）させながら手首を通過させる（図１１（ｂ）参照）。
【００３６】
図９は本発明にかかるエアー加圧装具の使い方の手順（４）を示す図面の代用写真である。図１０は手指側から見た図面の代用写真である。
次に、拘縮した手指を伸ばした状態にして、円筒形状の袋体１１を手の平でぐるぐると引抜方向に回転（ロールダウン）させながら移動させ、手指が内側中心孔（図４に示す加圧部１７）の位置で止める（図１１（ｃ）参照）。このとき、袋体１１の回転とともに同方向に回転する透明シート１３を通して常に外部から手指等の位置を確認しながら装着する。使用時間は、１０分〜１５分程度。
以上のように、本発明にかかるエアー加圧装具は一人でも身体に装着し易く且つ使用時の安定性に優れている。本発明の使用の効果としては、筋や関節組織の血行高めて、筋緊張の緩和や筋・腱の伸張性増大、関節可動域の維持改善から、ＡＤＬ（日常生活動作）の向上が期待できる。
【００３７】
図１２は、本発明にかかるエアー加圧装具の第２実施例を示す説明図である。
図１２に示すように、エアー加圧装具３０の袋体３１は、上述した第１実施例と同様に合成樹脂製シートからなる本体シート３２と透明シート３３を用いて円筒形状の空気袋が形成されている。図１２は袋体３１を収縮させている状態を示しており、使用前は嵩張らず袋体３１をコンパクトに収納でき、持ち運びが容易になる。
【００３８】
また、図１２に示すように、袋体３１の給排気口３４に給排気栓３５が設けられ、袋体３１からの空気の排出を阻止する逆止弁（図示省略）が取り付けられている。エアー加圧装具３０の袋体３１に空気を注入する手段として、上述した第１実施例と同様にポンプ（図示省略）等を備えている。
【００３９】
図１３は図１２のエアー加圧装具の袋体に空気を注入した状態を示す斜視図、図１４はその右側面図、図１５はその左側面図である。
図１３乃至図１５に示すように、円筒形状の袋体３１の両端部に一対の開口部３６が形成されており、使用する際は一方の開口部３６から手首及び手指を含む肢体を挿入する。また、上述した第１実施例と同様に円筒形状の袋体３１の内側中心孔には、一対の開口部３６に連通する加圧部３８が形成されており、内側空間に充填された空気圧により関節可動域制限のある患部を均一に加圧抑制することができる。
【００４０】
また、袋体３１の合成樹脂製シートからなる本体シート３２の外側表面に、上述した第１実施例と同様に内側裏面よりも摩擦係数が大きい滑り止め（図示省略）を形成する。滑り止めは、例えば、身体に接触するシート外側表面にエンボス加工を施してシート素材に凹凸による起伏面を得ることができる。このような凹凸を設けることにより、摩擦力又は接合力が向上するため、身体の装着性がより一層向上する。
【００４１】
また、袋体３１の合成樹脂製シートの材質は、ポリ塩化ビニルを採用するのが好ましい。また、ポリ塩化ビニルの重合度が１３００〜３０００のものを用いることが好ましい。また、より好ましくは、重合度を２５００に設定する。これにより、強度が高くなるため、使用時の安定性がより一層向上する。
【００４２】
また、図１２乃至図１５に示すように、袋体３１の装着する際の挿入又は引抜の回転移動方向に沿った長手方向に透明シート３３を円筒形状の袋体３１の外側から内側まで不連続な環状に形成した帯状透明部３３１が設けられており、袋体３１の回転とともに同方向に回転する帯状透明部３３１を通して常に内側に挿入している手指又は腕の位置を確認できる。
【００４３】
図１６は図１２のエアー加圧装具の袋体に空気を注入し１／４回転した状態を示す正面図、図１７はその右側面図、図１８はその左側面図である。
図１６に示すように、帯状透明部３３１が連続していない領域で、且つ長手方向に直交する方向に沿って円筒形状の袋体３１の溶着部３７が配置されている。さらに、帯状透明部３３１の対向する各端部３３２、３３３の形状を半円弧状に形成する。このように、上述した第１実施例と異なり帯状透明部３３１を形成する透明シート３３を本体シート３２に溶着し、帯状透明部３３１の透明シート３３の部分を避けて本体シート３２を溶着して袋体３１を形成することにより、溶着強度が向上し耐久性がアップする。尚、袋体３１の材質及び製品寸法については、上述した第１実施例と同様である。
【００４４】
エアー加圧装具３０の使い方の手順は、上述した第１実施例と同様である。
エアー加圧装具３０の袋体３１に空気を注入して張りのある固さにした後、一方の開口部３６に手首及び手指を挿入する（図１９（ａ）参照）。
次に、袋体３１の開口部３６から内側中心孔に沿って手首及び手指を挿入していく。このとき、円筒形状の袋体３１を手の平でぐるぐると挿入方向に回転（ロールアップ）させながら移動させる。
次に、円筒形状の袋体３１を挿入方向に回転（ロールアップ）させながら手首を通過させる（図１９（ｂ）参照）。
次に、拘縮した手指を伸ばした状態にして、円筒形状の袋体３１を手の平でぐるぐると引抜方向に回転（ロールダウン）させながら移動させ、手指が内側中心孔の位置で止める（図１９（ｃ）参照）。このとき、袋体３１の回転とともに同方向に回転する帯状透明部３３１の透明シート３３を通して常に外部から手指等の位置を確認しながら装着する。使用時間は、１０分〜１５分程度。
【符号の説明】
【００４５】
１０  エアー加圧装具
１１  袋体
１２  本体シート
１３  透明シート
１４  給排気口
１５  給排気栓
１６  開口部
１７  加圧部
１８  内側空間
２０  ポンプ
３０  エアー加圧装具
３１  袋体
３２  本体シート
３３  透明シート
３３１  帯状透明部
３３２  端部
３３３  端部
３４  給排気口
３５  給排気栓
３６  開口部
３７  溶着部
３８  加圧部
【図１】
2019107439.tif 000003
【図２】
2019107439.tif 000004
【図３】
2019107439.tif 000005
【図４】
2019107439.tif 000006
【図５】
2019107439.tif 000007
【図６】
2019107439.tif 000008
【図７】
2019107439.tif 000009
【図８】
2019107439.tif 000010
【図９】
2019107439.tif 000011
【図１０】
2019107439.tif 000012
【図１１】
2019107439.tif 000013
【図１２】
2019107439.tif 000014
【図１３】
2019107439.tif 000015
【図１４】
2019107439.tif 000016
【図１５】
2019107439.tif 000017
【図１６】
2019107439.tif 000018
【図１７】
2019107439.tif 000019
【図１８】
2019107439.tif 000020
【図１９】
2019107439.tif 000021
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
手首及び手指を含む肢体に装着する装具であって、空気の給排気により膨張又は収縮する円筒形状の袋体から構成され、前記袋体は本体シートと透明シートの２種類の合成樹脂製シートで形成された気密な空気袋であり、前記袋体の内側中心孔には両側開口部に連通する加圧部が形成され、
前記袋体の本体シートの外側表面には内側裏面よりも摩擦係数が大きいエンボス加工を施した滑り止めが形成され、
装着する際は膨張させた前記円筒形状の袋体の前記両側開口部の片側から肢体を挿入して該円筒形状の袋体の内側中心孔を身体に接触させて挿入又は引抜方向に回転させながら移動させて所望位置に保持し、その状態で患部を加圧抑制し、
前記袋体の装着する際の挿入又は引抜の回転移動方向に沿った長手方向に前記透明シートを前記円筒形状の袋体の外側から内側まで不連続な環状に形成した帯状透明部が設けられ、前記帯状透明部が連続していない領域で、且つ長手方向に直交する方向に沿って前記円筒形状の袋体の溶着部が配置され、前記袋体の回転とともに同方向に回転する前記帯状透明部を通して常に内側に挿入している手指又は腕の位置を確認できることを特徴とするエアー加圧装具。
【請求項２】
前記帯状透明部の対向する各端部の形状を半円弧状に形成することを特徴とする請求項１に記載のエアー加圧装具。
【請求項３】
前記帯状透明部の幅が前記袋体の幅に対して正面視４０％以下であることを特徴とする請求項１又は請求項２に記載のエアー加圧装具。
【手続補正２】
【補正対象書類名】明細書
【補正対象項目名】００１５
【補正方法】変更
【補正の内容】
【００１５】
上記の課題を解決するために、請求項１に記載の発明は、手首及び手指を含む肢体に装着する装具であって、空気の給排気により膨張又は収縮する円筒形状の袋体から構成され、前記袋体は本体シートと透明シートの２種類の合成樹脂製シートで形成された気密な空気袋であり、前記袋体の内側中心孔には両側開口部に連通する加圧部が形成され、前記袋体の本体シートの外側表面には内側裏面よりも摩擦係数が大きいエンボス加工を施した滑り止めが形成され、装着する際は膨張させた前記円筒形状の袋体の前記両側開口部の片側から肢体を挿入して該円筒形状の袋体の内側中心孔を身体に接触させて挿入又は引抜方向に回転させながら移動させて所望位置に保持し、その状態で患部を加圧抑制し、前記袋体の装着する際の挿入又は引抜の回転移動方向に沿った長手方向に前記透明シートを前記円筒形状の袋体の外側から内側まで不連続な環状に形成した帯状透明部が設けられ、前記帯状透明部が連続していない領域で、且つ長手方向に直交する方向に沿って前記円筒形状の袋体の溶着部が配置され、前記袋体の回転とともに同方向に回転する前記帯状透明部を通して常に内側に挿入している手指又は腕の位置を確認できることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
また、請求項２に記載の発明は、請求項１に記載の前記帯状透明部の対向する各端部の形状を半円弧状に形成することを特徴とする。
【手続補正５】
【補正対象書類名】明細書
【補正対象項目名】００１８
【補正方法】変更
【補正の内容】
【００１８】
また、請求項３に記載の発明は、請求項１又は請求項２に記載の前記帯状透明部の幅が前記袋体の幅に対して正面視４０％以下であることを特徴とする。